(57)【要約】【課題】本発明は、扉又は扉枠に接着した破錠センサーが、バール及びドライバー等で破壊されることにより、破錠センサー検知回路が作動し、警告音（光）を出す破錠防止装置に関するものである。【解決手段】鍵箱の位置する扉の外側と扉枠の外側に薄い破錠センサーを接着し、扉の外側に接着された破錠センサーからは、配線により扉の内側上部に設置された警報機に繋がれ、扉枠の外側に接着された破錠センサーは、配線により枠外壁部上部に設置された警報機に繋がれてなる破錠防止装置を設け、その破錠センサーが、バール及びドライバー等で破壊されることにより破錠センサー検知回路が作動し、警告音（光）を出すことを特徴とする破錠防止装置。【選択図】　　図１
2004086825.tif 000002
【特許請求の範囲】
【請求項１】
鍵箱２の位置する扉３の外側４と扉枠５の外側６に薄い破錠センサー７ａ，７ｂを接着し、扉３の外側４に接着された破錠センサー７ａからは配線８により扉３の内側上部に設置された警報機１０ａに繋がれ、扉枠５の外側６に接着された破錠センサー７ｂは、配線８により扉枠５外壁部９上部に設置された警報機１０ｂに繋がれた破錠防止装置を設け、鍵箱附近にバール等を差し込み、破錠センサー７ａが破壊されることにより破錠センサー７ａ，７ｂの検知回路が作動し、警告音（光）を出すことを特徴とする破錠防止装置１。
【請求項２】
鍵箱２の位置する扉３の外側４に薄い破錠センサー７ａを接着し、扉３の外側４に接着された破錠センサー７ａからは、配線８により扉３の内側上部に設置された警報機１０ａに繋がれた破錠防止装置を設け、鍵箱附近にバール等１１を差し込み、破錠センサー７ａが破壊されることにより破錠センサー７ａの検知回路が作動し、警告音（光）を出すことを特徴とする破錠防止装置１。
【請求項３】
扉枠５の鍵箱２の位置する外側６に薄い破錠センサー７ｂを接着し、扉枠３の外側６に接着された破錠センサー７ｂからは、配線８により扉枠５の壁部９上部に設置された警報機１０ｂに繋がれた破錠防止装置を設け、鍵箱附近にバール等１１を差し込み、破錠センサー７ｂが破壊されることにより破錠センサー７ａ，７ｂの検知回路が作動し、警告音（光）を出すことを特徴とする破錠防止装置１。
【発明の詳細な説明】
【０００１】
【発明が属する技術分野】
本発明は、破錠センサーがバール等で破壊されることにより破錠センサー検知回路が作動し、警告音（光）を出す破錠防止装置に関するものである。
【０００２】
【従来の技術】
不正解錠（ピッキング）を防止し得る施錠装置或いはピッキング・鍵穴防護バリア棒制御、ガラス、ドア枠破壊歪感知センサーとその既存ノブ、カプセノブ空回転作動高音響装置など鍵自体に防犯装置を施したものがある。
【０００３】
ピッキング対策としての防犯システム装置の中で、本発明に係る破錠防止装置は、既存の鍵自体を加工し、変更を加えることなく、鍵箱の位置する外側付近の扉と扉枠の間隙に扉と扉枠の双方、扉又は扉枠のどちらか一方に極薄型破錠センサーを接着して置くことにより、侵入者はピッキング対策として鍵自体防犯装置が施されているものが多いいので、鍵自体に触れることなく、鍵箱の位置する外側付近の扉と扉枠の間隙にバール、ドライバー等を差し込んで扉自体を破壊したとき、同じに破錠センサーも破壊されて、検知回路が作動し、警告音（光）を出す破錠防止装置が威力を発揮するものである。
この発明に係る破錠防止装置は、破錠センサー、配線、警報機とその部品の数が極端に少なくその構造、機構が簡単なため、どんな扉にも取り付けが可能であり、作動は確実である。
そして、この破錠防止装置は、その構成構造が簡単なため設置作業も容易で、安価に設置できるものである。
【０００４】
【発明が解決しようとする課題】
解決しようとする問題点は、最近ピッキングによる開錠侵入者が多くなり、これを防止するため鍵の改良により、ピッキング行為により簡単に開錠できなくなり、鍵にピッキングを行う者が少なくなった、一方、鍵の位置する付近の扉と扉枠の間にバール若しくはドライバーを差し込んで扉を破壊して開けるという新手の侵入者が多くなっており、この対策が必要となっている。
【０００５】
【課題を解決するための手段】
本発明は、ピッキング対策としての防犯システム装置の中で、この破錠防止装置は、既存の鍵自体に加工し、変更を加えることなく、鍵箱の位置する扉の外側と扉枠の外側に薄い破錠センサーを接着し、扉の外側に接着された破錠センサーからは、配線により扉の内側上部に設置された警報機に繋がれ、扉枠の外側に接着された破錠センサーは、配線により扉枠外壁部上部に設置された警報機に繋がれてなる破錠防止装置を設け、鍵箱附近にバール及びドライバー等を差し込み、破錠センサーが破壊されることにより、破錠センサーの検知回路が作動し、警告音（光）を出す破錠防止装置を設置して置くものである。
【０００６】
侵入者は、ピッキング対策として鍵自体に防犯装置が施されているものが多く出回っているので、鍵自体に触れることなく、鍵箱の位置する外側附近の扉と扉枠の間隙にバール及びドライバー等を差し込んで扉を破壊したとき、破錠センサーも同時に破壊され、その際、検知回路が作動し、警告音（光）を出す破錠防止装置が威力を発揮するものである。
【０００７】
本発明に係る破錠防止装置は、機構、動作が単純なためどんな扉にも取り付けが可能であり、動作は確実である。
そして、この破錠防止装置は、その構成構造が簡単なため設置作業も容易で、安価に設置できるものである。
【０００８】
【発明の実施の形態】
本発明に係る破錠防止装置は、既存の鍵自体に加工し、変更を加えることなく、鍵箱の位置する外側付近の扉と扉枠の間隙に扉と扉枠の双方、扉又は扉枠のどちらか一方に極薄型破錠センサーを接着し、破錠センサーからは、配線により扉の内側上部又は扉枠の内側壁部上辺に設置された警報機に繋がれた破錠防止装置を設置して置くことにより実現した。
【０００９】
【実施例】
本発明の実施例の形態を図面を参考にして詳述する。
図１は、本発明装置の１実施例で、請求項１に該当するものであり、破錠防止装置の一つである極薄型の破錠センサー７を鍵箱の位置する外側付近の扉３と扉枠５の間隙に扉３と扉枠５の双方に設けた実施方法を、外側から見た説明図で、図２は、図１の内側から見た説明図である。また、図３は、本発明装置の１実施例で、請求項２に該当するものであり、破錠防止装置１の一つである極薄型の破錠センサー７を鍵箱の位置する外側付近の扉３と扉枠５の間隙に扉側に設けた実施方法を、外側から見た説明図である。更に、図４は、本発明装置の１実施例で、請求項３に該当するものであり、破錠防止装置１の一つである極薄型の破錠センサー７を鍵箱の位置する外側付近の扉３と扉枠５の間隙に扉枠５側に設けた実施方法を、外側から見た説明図である。
【００１０】
図５は、本発明装置の１実施例で、請求項１に該当するもので、破錠防止装置の一つである極薄型の破錠センサーを、鍵箱の位置する外側付近の扉３と扉枠５の間隙に扉３と扉枠５の双方に設けた場合において、扉３と扉枠５の間隙にバール、ドライバー等１１を差し込んで扉３を破壊せんとする状態の平面図である。
【００１１】
図６は、極薄型破錠センサーの拡大図で（Ａ）は、一部を省略し、またその一部を切り欠き断面で現してなるものであり、（Ｂ）は、一部を省略し、またその一部を切り欠き平面で現してなるものである。そして図７は、破錠防止装置の回路図である。
【００１２】
本発明装置の１実施例の形態を請求項１に該当する図１及び図２に示す図面を参考にして詳述する。
鍵箱２の位置する扉３の外側４と扉枠５の外側６に薄い破錠センサー７ａ，７ｂを接着して、扉３の外側４に接着された破錠センサー７ａからは、配線８により扉３の内側上部に設置された警報機１０ａに繋がれ、扉枠５の外側６に接着された破錠センサー７ｂは、配線８により扉枠５附近の壁部９上部に設置された警報機１０ｂに繋ぐことにより破錠防止装置を設置して置く。そして、侵入者が鍵箱附近にバール又はドライバー等１１を差し込み、破錠センサー７ａ，７ｂが破壊されることにより図７に示す回路図に示す破錠防止装置は、扉３と扉枠５とに設置された破錠センサー７ａ，７ｂ二つの検知回路が作動し、二つの警報機１０ａ，１０ｂが同じに警告音（光）を出すことで、侵入者は驚き退散させることを目的とするものである。
【００１３】
次ぎに、本発明装置の１実施例の形態を請求項２に該当する図３に示す図面を参考にして詳述する。
鍵箱２の位置する扉３の外側４に薄い破錠センサー７ａを接着し、扉３の外側４に接着された破錠センサー７ａからは、配線８により扉３の内側上部に設置された警報機１０ａに繋ぐことにより破錠防止装置を設置して置く。そして、侵入者が鍵箱附近にバール又はドライバー等１１を差し込み、破錠センサー７ａが破壊されることにより図７に示す回路図に示す破錠防止装置は、扉３に設置された破錠センサー７ａの検知回路が作動し、警報機１０ａの警告音（光）を出すことで、侵入者は驚き退散させることを目的とするものである。
【００１４】
更に、本発明装置の１実施例の形態を請求項３に該当する図４に示す図面を参考にして詳述する。
鍵箱２の位置する扉枠５の外側６に薄い破錠センサー７ｂを接着し、扉３の外側６に接着された破錠センサー７ｂからは、配線８により扉枠５の壁部９上部に設置された警報機１０ｂに繋ぐことにより破錠防止装置を設置して置く。そして、侵入者が鍵箱附近にバール又はドライバー等１１を差し込み、破錠センサー７ｂが破壊されることにより図７に示す回路図に示す破錠防止装置は、扉３に設置された破錠センサー７ｂの検知回路が作動し、警報機１０ｂの警告音（光）を出すことで、侵入者は驚き退散させることを目的とするものである。
【００１５】
図６（Ａ），（Ｂ）に示すように破錠センサー７は、Ｕ字状の薄い銅線１２を薄い樹脂１３で覆いその裏面に接着剤を塗り、その上に剥離紙を接着させて形成されている。この破錠センサー７を必要に応じて接着する際、裏面の剥離紙を剥離して必要個所に接着して、配線により警報機に繋ぎ破錠防止装置の設置を完了する。
【００１６】
図７は、破錠防止装置の回路図で、上記で説明したように扉３と扉枠５、扉３又は扉枠５の鍵箱附近に接着された破錠センサー７がバール又はドライバー等１１で破壊され、破錠センサー７の銅線が断線することにより検知回路が作動し、警告音（光）を出し、周囲の者に注意を喚起することにより侵入者が扉の破壊行為を中止させるものである。
【００１７】
図示していないが、別の実施例として破錠センサー７を鍵箱の位置する以外の場所、例えば、鍵箱の位置する上側或いは下側又は扉の上側等に接着することにより、バール又はドライバー等１１で破壊され、破錠センサー７の銅線が断線する範囲が広がり、その防犯効果を上げることが出きるものである。
【００１８】
【発明の効果】
以上説明したように本発明の破錠防止装置は、鍵箱の位置する扉の外側と扉枠の外側に薄い破錠センサーを接着し、扉の外側に接着された破錠センサーからは配線により扉の内側上部に設置された警報機に繋がれ、扉枠の外側に接着された破錠センサーは、配線により枠外上部に設置された警報機に繋がれた破錠防止装置にバール又はドライバー等で破壊されることにより破錠センサーが最初に破壊されることにより回線が断線され検知回路が作動し、警告音（光）を出すことにより、周囲の者に注意を喚起することにより侵入者が扉の破壊行為を中止させる効果がある。
【００１９】
本発明に係る破錠防止装置は、その部品の数も僅か破錠センサー、配線、警報機の３点からなり、その部品の数が極端に少なくその構造、機構が簡単で、それぞれ各部品には、その裏面に設けられた接着剤により貼り付け作業で済み、どんな扉にも取り付けが可能であり、その取り付け作業は、極めて簡単で、作動は確実である。
そして、この破錠防止装置は、その構成構造が簡単なため設置作業も容易で、安価に設置できるものである。
【図面の簡単な説明】
【図１】破錠防止装置の実施方法を示した外側から見た説明図である。（請求項１）
【図２】破錠防止装置の実施方法を示した裏側から見た説明図である。（請求項１）
【図３】破錠防止装置の実施方法を示した外側から見た説明図である。（請求項２）
【図４】破錠防止装置の実施方法を示した外側から見た説明図である。（請求項３）
【図５】鍵のかかった状態においてバールなどを差し込んだところを平面から見た説明図である。
【図６】（Ａ）は、破錠防止装置の一部を省略及び切欠した正面図である。
（Ｂ）は、破錠防止装置の一部を省略及び切欠断面図で表示した側面図である。
【図７】破錠防止装置の回路図である。
【符号の説明】
１　破錠防止装置
２　鍵箱
３　扉
４　扉３の外側
５　扉枠
６　扉枠５の外側
７　破錠センサー
７ａ　扉枠５の外側６に薄い破錠センサー
７ｂ　扉３の外側４に接着された破錠センサー
８　配線
９　壁部
１０　警報機
１０ａ　扉３の内側上部に設置された警報機
１０ｂ　扉枠５外壁部９上部に設置された警報機
１１　バール及びドライバー等
【図１】
2004086825.tif 000003
【図２】
2004086825.tif 000004
【図３】
2004086825.tif 000005
【図４】
2004086825.tif 000006
【図５】
2004086825.tif 000007
【図６】
2004086825.tif 000008
【図７】
2004086825.tif 000009